(57)【特許請求の範囲】
【請求項１】
音響周波数の電気信号に応答する電気機械振動変換器により得られる振動の体感を付与させるための方法であって、前記電気機械振動変換器に付設された竿状の延長体から得られる前記振動を直接的に人体の指先に伝達することにより、前記体感を付与することを特徴とする音響振動体感付与方法。
【請求項２】
前記振動を前記人体の親指の指先と人指指の第２節部分とに直接的に伝達することにより前記体感を付与する請求項１記載の音響振動体感付与方法。
【請求項３】
固体で形成され、前記人体の親指の断面よりも小さい断面をもつ前記竿状の延長体により前記伝達を行う請求項１または請求項２記載の音響振動体感付与方法。
【請求項４】
音響周波数の電気信号に応答する電気機械振動変換器により得られる振動の感応を付与させるための装置であって、前記電気機械振動変換器に竿状の延長体を付設し、前記竿状の延長体の凸曲面に直接的に人体の指先を押し当てる構成であることを特徴とする音響振動体感付与装置。
【請求項５】
延長体を直径１ｃｍ以下の長さ２０ｃｍ以上の固体の丸棒または丸管による竿状体とし、前記竿状体の外面を前記凸曲面とした請求項４記載の音響振動体感付与装置。
【請求項６】
前記延長体に対する前記人体の手の接触と非接触とにより切換動作する切換回路経由で、前記電気信号を前記手の接触時にのみ前記電気機械振動変換器に供給する請求項４または請求項５記載の音響振動体感付与装置。
【請求項７】
前記竿状体の前記指先を当てる個所に所定のマークが施された請求項４ないし６記載の音響振動体感付与装置。
【請求項８】
前記延長体の前記指先を当てる箇所における振動の振幅を調整するための錘体を前記延長体の長手方向に沿いに摺動固定可能に嵌挿した請求項４ないし７記載の音響振動体感付与装置。
【発明の詳細な説明】
【０００１】
【産業上の利用分野】
この発明は、音響周波数の電気信号に応答する電気機械振動変換器により得られる振動を、聴覚によらず皮膚や骨などを通して人体に感応を付与する（この発明において、「体感を付与する」という）ための音響振動体感付与方法およびその装置に関するものであり、特に、人体中の感覚鋭敏な指先に振動を伝達することにより、付与される体感を増強するように構成したものである。
【０００２】
【従来の技術】
こうした音響振動体感付与方法およびその装置としては、主として、聴覚で音楽を楽しむ傍ら、その音楽によるリズム感を体感で味わうことにより、音楽による快感をより強くすることを目的とするもののほか、聾唖者が会話発声におけるイントネーションを体感的に習得することを目的とするものなどかある。
【０００３】
さらに、電気機械振動変換器１００としては、図８のようなスピーカボイスコイル型の構成（以下、第１従来技術という）が実開昭５２−７５４３０によって、また、図９のようなソレノイドアクチェータ型の構成（以下、第２従来技術という）の構成が実開昭５７−１７１３７１によって開示されている。
【０００４】
図８において、円筒状の可動コイル５１は、永久磁石５２による磁気を帯びた界磁体５３内に設けられた断面が長溝状で平面が円環状の間隙５４の中に出没自在に配置してある。可動コイル５１に固定された振動体５５は、弾性材の保持板５６を介して、界磁体５３側に保持してある。そして、可動コイル５１に音響周波数の電気信号を印加することにより、可動コイル５１が電気信号の周波数と振幅とに対応して機械的に振動するようにし、界磁体５３と振動体５５との間の相対振動から振動源を得るように構成してある。
【０００５】
図８の構成は、可動コイル５１と界磁体５３との配置形態がスピーカーにおけるボイスコイルと界磁ヨークとに対応する構成なっているので、スピーカボイスコイル型と呼ばれている。
【０００６】
図９において、励磁コイル６１は、界磁体６２の中に埋め込んであり、また、磁性材の振動体６３は、界磁体６２の解放端側に対向して配置するとともに弾性材の保持板６４を介して界磁体６２側に保持してある。そして、励磁コイル６１に音響周波数の電気信号を印加することにより、振動体６３が電気信号の周波数と振幅とに対応して機械的に振動するようにし、界磁体６２と振動体６３との間の相対振動から振動源を得るようにしてある。
【０００７】
図９の構成における構成の可動側と固定側とを逆にした構成として、振動体６３を永久磁石にして固定側に配置するとともに、励磁コイル６１と界磁用磁心６２とを弾性体の保持板で保持して可動側に配置した構成（以下、第３従来技術という）が特開平５−１４９９６によって開示されている。
【０００８】
図９の構成は、励磁コイル６１と界磁体６２とによって生ずる磁力により、振動体６３が吸引・離脱する構成がソレノイドアクチェータにおけるソレノイド界磁とアクチェータに対応する構成になっているので、ソレノイドアクチェータ型と呼ばれている。
【０００９】
一方、体感を付与するための構成としては、振動体６３に設けられた接触部分を耳骨などの体骨部分に当てて、体骨部分から体感を付与する構成（以下、第４従来技術という）があり、また、図１０のように、上記の第１従来技術の構成を変形した界磁体側７１と可動コイルに固定された振動体側７２との各外側に、半球状の殻体７３・７４を取り付けておき、両方のの殻体の外面を両方の手のひら７５・７６で包み込んで、手のひらから体感を付与する構成（以下、第５従来技術という）が特開平５−３００９４３によって開示されている。
【００１０】
さらに、上記の第１従来技術・第３従来技術・第４従来技術などによる電気機械振動変換器１００により、人体の臀部や足裏から体感を付与する構成（以下、第６従来技術という）が実開昭５２−１０３９１０・特開平５−１４９９６によって開示されている。
【００１１】
【発明が解決しようとする課題】
上記の第４従来技術による体感付与方法では、聴覚による音感と振動による体感とが人体の同一部位で受けるため、音響と体感とが混同してしまい、目的とする快感が得られにくいという不都合がある。
【００１２】
また、上記の第５従来技術〜第６従来技術によって、より強い体感を付与するためには、電気機械振動変換器に供給される電気信号の電力を増強する必要があるが、そのようにすると、装置が大型化するほか、電気機械振動変換器の振動が強くなるので、電気機械振動変換器自体または電気機械振動変換器が設置された椅子や床などから直接的に発生する振動音が強くなり、その結果、この振動音が雑音として、逆に聴覚上の不快感を与えてしまうという不都合がある。
【００１３】
このため、こうした不都合のない方法により体感を付与する方法と装置との提供が望まれているという課題がある。
【００１４】
【課題を解決するための手段】
この発明は、上記のような体感付与方法において、電気機械振動変換器に付設された竿状の延長体から得られる振動を直接的に人体の指先に伝達することにより、強度の体感を付与する方法と、この方法を用いた装置のほか、上記の延長体に対する人体の手の接触と非接触とにより切換動作する切換器経由で、手の接触時にのみ電気信号を電気機械振動変換器に供給する構成を提供することにより、上記の課題を解決するようにしたものである。
【００１５】
【作用】
人体における指先の感覚は、体感に対して臀部・足裏・手のひらなどによる感覚よりも敏感であり、この敏感な指先に直接的に振動を伝達しているので、電気信号の電力が比較的小さくても、十分に強い体感が付与されるように作用する。この作用は、多くの場合、左手の指先に振動を伝達すると、より効果的に現れる。
【００１６】
また、電気信号の電力を小さくできるので、電気機械振動変換器自体または電気機械振動変換器が設置されれ椅子や床などから直接的に発生する振動音を無くし、または、小さくして、そのような周辺からの振動音による不快感を軽減するように作用する。
【００１７】
さらに、電気機械振動変換器の延長体に人体の手が接触しているときにのみ電気信号を電気機械振動変換器に供給しているので、体感付与動作中でないときに、電気機械振動変換器を載置した場所付近の構造物の振動による雑音発生を防止するように作用する。
【００１８】
【実施例】
以下、図１〜図５により実施例を説明する。図１〜図５において、図８〜図１０の符号と同一符号の部分は、図８〜図１０で説明した同一符号の部分と同一機能をもつ部分である。
【００１９】
〔方法の実施例〕
まず、図１・図２により方法の実施例を説明する。図１において、ステレオオーディオセット２００は、左右のスピーカ２０１・２０２と、プレイヤー２０３、例えば、ＣＤ（コンパクトディスク）プレイヤーとをもつ市販のステレオオーディオセットであり、スピーカ２０１・２０２から人体３００の聴覚に音響、例えば、音楽演奏音を与えている。
【００２０】
リード２０４は、プレイヤー２０３の増幅回路からの外部出力端子に相当する出力端子２０５から音響周波数の電気信号を電気機械振動変換器１００に供給しており、また、電気機械振動変換器１００の発生する振動を電気機械振動変換器１００に付設された延長体１０１から、人体３００の左手の指先３０１に直接的に伝達することにより、人体３００に対して、上記の音楽演奏音に対応する振動による体感を付与している。
【００２１】
図１の実施例による構成を要約すると、音響周波数の電気信号を電気機械振動変換器１００に供給して得られる振動を体感させるための方法において、電気機械振動変換器１００に付設された延長体１０１から得られる振動を直接的に人体３００の指先３０１に伝達することにより、
体感を付与する音響振動体感付与方法を構成しているということである。
【００２２】
図２は、図１における人体３００の手３１０の部分を示し、延長体１０１は、固体、例えば、アルミニウムの丸管またはアルミニウムの丸棒で形成してあり、また、人体３００の手３１０の親指３０１Ａの断面よりも小さい断面をもつ竿状になっている。
【００２３】
延長体１０１は、親指３０１Ａの指先３０１の部分と、人指指３０２Ａの第２節部分３０２、つまり、第１関節と第２関節との間に位置するの部分とに挟み、親指３０１Ａの指先３０１で強く押しながら保持することにより、電気機械振動変換器１００の振動を親指３０１Ａの指先３０１と人指指３０２Ａの第２節部分３０２とに直接的に伝達している。この保持状態においては、親指３０１Ａの指先３０１と人指指３０２Ａの第２節部分に神経が集中するので、体感を鋭敏に感じとることができる。
【００２４】
図１・図２の実施例による構成を要約すると、電気機械振動変換器１００の振動を人体３００の親指３０１Ａの指先３０１と人指指３０２Ａの第２節部分３０２とに直接的に伝達することにより、体感を付与する音響振動体感付与方法を構成するとともに、固体で形成され、人体３００の親指３０１Ａの断面よりも小さい断面をもつ竿状の延長体１０１により人の指先に振動を直接的に伝達するようにした音響振動体感付与方法を構成してということである。
【００２５】
〔装置の実施例〕
次に、図３〜図５により装置の実施例を説明する。図３〜図５において、図１・図２の符号と同一符号の部分は、図１・図２で説明した同一符号の部分と同一機能をもつ部分である。
【００２６】
図３の断面図において、電気機械振動変換器１００は、上記の第１従来技術と同様のスピーカボイスコイル型の構成のものであって、全体が、覆体１０２の中に収納されている。貫通孔１０２Ａと延長体１０１の外径との間の隙間１０３の部分を除き、各部品の図上で接触している部分は、全て接着剤で固定して一体化してあり、また、全ての部品は平面から見た形状が円形になっている。
【００２７】
永久磁石１０４とヨーク１０５とが界磁体５３を形成しており、ヨーク１０５を、薄い金属板、例えば、ブルーイング処理した薄いステンレス鋼板のばね板１０７を介して、覆体１０２の内部に固定してある。
【００２８】
可動コイル５１は、振動板を兼ねた薄い合成樹脂板、例えば、ＦＲＰ、つまり、繊維強化プラスチック材の薄い板で形成した保持板５６上に固定してあり、保持板５６とこの保持板５６に固定された間座１０６とで振動体５５を形成している。
【００２９】
間座１０６は、金属、例えば、アルミニウム材で形成しある。また、電気機械振動変換器１００に付設される延長体１０１を間座１０６に固定することにより、延長体１０１に対して、覆体１０２を含む界磁体５３側の質量との相対で振動する可動コイル５１側の振動エネルギーを伝達するようにしてある。
【００３０】
延長体１０１は、外径が人体３００の親指３０１Ａの断面よりも小さい断面、例えば、直径１ｃｍ以下の断面をもつ金属管又は金属棒、例えば、直径０．８ｃｍで長さが２０ｃｍ以上のアルミニウムの丸管又は丸棒による竿状体にしてあり、親指３０１Ａの指先３０１を当てるべき箇所を示すための所定のマーク１０１Ａ、例えば、帯状の塗装またはテープを施してあり、丸管による延長体１０１の外側の凸曲面を、図２のように、指先３０１に押し当てることによって、人体３００に振動の体感を付与する与えるなっている。
【００３１】
このマーク１０１Ａを施す箇所は、所定の周波数、例えば、１５０Ｈｚにおいて、指先３０１に伝達される振動が最も強い箇所を選択して施すようにする。多くの場合、そのような箇所として、選択された所望の周波数において、延長体１０１に乗った振動の「腹」の位置を選定するのが好適である。
【００３２】
ケーブル１１０は、音響の電気信号を電気機械振動変換器１００に供給するためのリード１１１と、延長体１０１に対する人体３００の手３１０の接触・非接触を検出するためのリード１１２とを含んでおり、リード１１１の方は可動コイル５１に接続し、リード１１２の方は、間座１０６に取り付けることにより、間座１０６を介して延長体１０１に電気的に接続してある。そして、可動コイル５１へのもう１つのリードとしてはアース側、つまり、ケーブル１１０のシールド側導体を用いている。そして、リード１１１は、図１のリード２０４に相当するものである。
【００３３】
覆体１０２は、合成樹脂材、例えば、繊維強化プラスチック材で形成してあって、ばね板１０７の箇所で上下に２分してあり、下側部分に電気機械振動変換器１００を組み付けたのちに、上側部分を乗せて固定することにより一体化してある。
【００３４】
図４において、音響周波数信号Ｓ１は、音楽演奏音の周波数をもつ信号、例えば、ＣＤプレイヤーから得られる電気信号を所要の増幅回路により増幅した電気信号であって、この音響周波数信号Ｓ１に応答して、バッファ用増幅回路４０１で増幅した聴覚用電気信号４０１ａとその分岐信号４０１ｂとが、切換回路４０２と聴覚用出力端子４０３とに供給される。聴覚用出力端子４０３は、図１におけるスピーカ２０１・２０２またはヘッドホーン２１０などの電気音響変換器に出力信号を供給するためのものであり、これら電気音響変換器から発生する音響により人体３００に聴覚を通して音感を与えるものである。
【００３５】
切換回路４０２は、図５に基づいて後に説明する接触検出回路４１０が、人体３００の手３１０が延長体１０１に接触していることを検出したときには、分岐信号４０１ｂを次段の低域濾波回路４０４に供給し、一方、接触検出回路４１０が、人体３００の手３１０が延長体１０１に接触していないことを検出したときには、分岐信号４０１ｂを低域濾波回路４０４に供給しないように切換接続するためのものであって、例えば、リレーまたはトランジスタによる切換回路である。そして、分岐信号４０１ｂを低域濾波回路４０４に供給しないときには、低域濾波回路４０４の入力端子をアース側に接続してオープンインピーダンスにならないようにしている。
【００３６】
低域濾波回路４０４は、分岐信号４０１ｂに含まれる周波数成分のうちから、人体３００に体感を付与するのに適している低域側の周波数、例えば、３００Ｈｚ以下の周波数のみを通過させるような濾波を行って得られる体感用信号４０４ａを次段の電力増幅回路４０５に供給する。また、必要に応じて、濾波周波数を変更する素子、例えば、可変コンデンサ４０４ｂを設けて濾波周波数を変更可能にし、あるいは、分岐信号４０１ｂをそのままの周波数で体感用信号４０４ａとして出力するようにしてある。
【００３７】
電力増幅回路４０５は、体感用信号４０４ａを、図３の電気機械振動変換器１００によって人体３００の指先３０１に所要の体感を付与するのに適した振幅の信号出力４０５ａに増幅して、体感用出力端子４０６経由で出力する。
【００３８】
体感用出力端子４０６は、図１の出力端子２０５に相当するものであり、図３の電気機械振動変換器１００のケーブル１１０のリード１１１を介して可動コイル５１に接続するための端子であり、アース側のリードは、ケーブル１１０のシールド側導体を用いている。
【００３９】
図５において、図４の符号と同一符号の部分は、図４で説明した同一符号の部分と同一機能をもつ部分である。図５の〔回路構成図〕は、図４の接触検出回路４１０を、人体３００の静電容量により回路定数が変化したことを検出する回路、つまり、ボデイエフェクトにより動作する検出回路により構成したものである。
【００４０】
図５の〔回路構成図〕において、端子４１１は、図３のリード１１２を介して延長体１０１に接続するための端子であり、また、端子４１２は、図４の切換回路４０２に切換用の入力を印加するための端子であって、回路各部の動作信号は〔信号波形図〕のようになる。
【００４１】
矩形波発生回路４１３は、矩形波信号４１３ａを可変抵抗器４１４の可変端子に印加する。そして、可変抵抗器４１４の一方の端子側を第１の波形整形回路４１５経由でフリップフロップ回路４１８のクロック入力端子ＣＬに接続するとともにコンデンサ４１６経由でアース側に接続してある。さらに、可変抵抗器４１４の他方の端子側を第２の波形整形回路４１７経由でフリップフロップ回路４１８のデータ入力端子に接続するとともに入力端子４１１に接続してある。そして、フリップフロップ回路４１８の正相出力端子を出力端子４１２に接続してある。
【００４２】
ここで、入力端子４１１に接続された延長体１０１に人体３００の手３０１が接触していないときには、第２の波形整形回路４１７の出力４１７ａは、遅延を起こさずに、矩形波信号４１３ａと同位相になっているが、一方、第１の波形整形回路４１５への入力４１６ａは、可変抵抗器４１４の可変端子より図中で下側の抵抗値とコンデンサ４１６の静電容量とを主体にして定まる時定数により積分されるので、第１の波形成形回路４１５により所定レベルＡ１を敷居値として波形整形すると、基準波形出力４１５ａのように、矩形波信号４１３ａに対して常に一定値の位相遅れＤ１をもった信号になって現れるので、フリップフロップ回路４１８の出力がＨレベル出力４１８ａに維持される。
【００４３】
フリップフロップ回路４１８の出力がＨレベル出力４１８ａになっているときは、延長体１０１には人体３００の手３０１が接触していないので、切換回路４０２は、出力端子４１２からのＨレベル出力に応答して、分岐信号４０１ｂを低域濾波回路４０４に供給しない状態に切換接続する。したがって、電気機械振動変換器１００には、信号出力４０５ａが供給されない。
【００４４】
そして、入力端子４１１に接続された延長体１０１に人体３００の手３０１が接触しているときには、人体３００の静電容量が接続されたことになり、第２の波形整形回路４１７への入力４１４ａは、可変抵抗器４１４の可変端子より図中で上側の抵抗値と人体３００の静電容量とを主体にして定まる相対的に大きな時定数により積分されて信号４１４ｂのようになるので、第２の波形整形回路４１８により所定レベルＡ２を敷居値として波形整形すると、検出波形出力４１７ｂのように、基準波形出力４１５ａに対して、Ｄ２−Ｄ１だけの位相遅れをもった信号になって現れることになり、フリップフロップ回路４１８のクロック入力端子ＣＬがＬレベルからＨレベルに反転するクロック時点で、データ入力端子ＤがＬレベルに維持されることになるので、フリップフロップ回路４１８の出力がＬレベル出力４１８ｂに反転して維持される。
【００４５】
フリップフロップ回路４１８の出力がＬレベル出力４１８ｂになっているときは、延長体１０１には人体３００の手３０１が接触しているので、切換回路４０２はＬレベル出力に応答して、分岐信号４０１ｂを低域濾波回路４０４に供給する状態に切換接続する。したがって、電気機械振動変換器１００には信号出力４０５ａが供給される。
【００４６】
位相遅れＤ１と位相遅れＤ２とにより、上記機能を好適に達成するように、可変抵抗器４１４の可変端子の位置と、レベルＡ１と、レベルＡ２とを適切に調整できるようにしてある。
【００４７】
図３〜図４から図５の構成部分を除いた構成を要約すると、音響周波数の電気信号４０５ａを電気機械振動変換器１００に供給して得られる振動を体感させるための装置において、電気機械振動変換機器１００に付設された延長体１０１には、直接的に人体３００の指先３０１を押し当てる凸曲面、例えば、丸管の外側の凸曲面を設けた構成になっているということである。
【００４８】
また、図３〜図５による実施例の構成を要約すると、第１には、図３の延長体１０１のように、延長体１０１を直径１ｃｍ以下の長さ２０ｃｍ以上の固体、例えば、アルミニウムの丸管による竿状体とし、この竿状体の外面を凸曲面とした音響振動体感付与装置を構成しており、
【００４９】
第２には、図４・図５の切換回路４０２・接触検出回路４１０のように、電気機械振動変換機器１００に供給する電気信号４０５ａを、延長体１０１に対する人体３００の手３１０の接触と非接触とにより切換動作する切換回路４０２を介して、手３１０の接触時にのみ電気信号４０５ａを電気機械振動変換器１００に供給するようにした音響振動体感付与装置を構成しており、
【００５０】
第３には、図３のマーク１０１Ａのように、延長体１０１を形成する竿状体中の、指先３０１に伝達される振動が最も強い個所に所定のマーク１０１Ａを施すようにした音響振動体感付与装置を構成しているということである。
【００５１】
〔変形実施〕
この発明は次のように変形して実施することを含むものである。
【００５２】
（１）電気機械振動変換機器１００の覆体１０２を、図６のように、中央部分が凹んだ形にして両面の中央に孔１３１・１３２を設けて形成しておき、間座１０６の中央部分に先端を丸くした突起１２１を設けるとともに、この背面側に当たるヨーク１０５の中央部分にも突起１２２を設けて構成し、この２つの突起１２１・１２２を２つの指先、例えば、親指の指先と中指の指先とで、摘むようして、直接的に指先に押し付けることにより体感を得るように構成する。
【００５３】
（２）電気機械振動変換機器１００の覆体１０２を、図７のように、中央部分が凹んだ形にして両面の中央に孔１３１・１３２を設けて形成するとともに、間座１０６の外側面を平面状にして形成しておき、間座１０６の外表面とヨーク１０５の外表面とを、２つの指先、例えば、親指の指先と中指の指先とで、摘むようして、直接的に指先に押し付けることにより体感を付与するように構成する。
【００５４】
（３）上記（１）（２）の構成において、接触検出回路４１０における延長体１０１と手３１０との接触に代えて、間座１０６と指先との接触によるボデイエフェクトを利用して接触検出を行うように構成する。
【００５５】
（４）延長体１０１を、金属以外の固体、例えば、硬質合成樹脂材などの丸管または丸棒の竿状体を用いて構成する。
【００５６】
（５）切換回路４０２の切換動作を、接触検出回路４１０によらず、延長体１０１の途中に設けたマイクロスイッチを、体感に直接使用しない指、例えば、薬指などで押して切換操作するように構成する。
【００５７】
（７）図１の構成において、聴覚による音感を付与する部分を、ヘッドホーン２１０で構成するようにし、ヘッドホーン２１０に対する電気信号を、もう１つの外部出力端子２０５Ａから得るように構成する。
【００５８】
（８）図４・図５の構成部分を単体の箱体内に収納するとともに、独立の電源回路を設けて構成し、図１のようなステレオオーディオセット２００または携帯用のプレイヤーに、アダプタとして付設するように構成する。
【００５９】
（９）図４・図５の構成部分を、図１のようなステレオオーディオセット２００の内部に一体にして設けるように構成する。
【００６０】
（１０）図３の構成において、延長体１０１の指先３０１を当てる位置の振動振幅を調整するための錘体１０１Ｘを、延長体１０１の手３１０で握らない箇所、例えば、上方側または下方側に、延長体１０１沿いに摺動可能に嵌挿するとともに、延長体１０１上の所望の位置に該錘体を固定するための停止具１０１Ｖ、例えば、ねじを設けて構成する。
【００６１】
（１１）電気機械振動変換機器１００の部分を、図８のような第１従来技術のものに変更して構成する。また、図８の構造における取付ねじ５７の部分に延長体１０１をねじ込み固定して構成する。
【００６２】
（１２）電気機械振動変換機器１００の部分を、図９のような第２従来技術のものに変更して構成する。
【００６３】
（１３）図３における〔突起付の場合〕のように、延長体１０１の指先３０１で摘む位置に突起１０１Ｂを設けて構成する。この突起は、片側突起１０１Ｂ１、または、瘤状の膨らみ部分１０１Ｂ２などによって形成することができる。また、この構成による場合には、突起１０１Ｂを除く部分の断面を凸曲面を有しない形状、例えば、六角形などの形状にして形成することができる。
【００６４】
（１４）延長体１０１が形成する凸曲面を曲率の変化をもつ曲面、例えば、楕円形などにして、曲率の異なる箇所を摘むことにより、異なる体感強度が得られるように構成する。
【００６５】
上記の〔変形実施〕による構成を要約すると、上記（１）（２）による構成では、電気機械振動変換器１００の一部、つまり、間座１０６とヨーク１０２とから得られる振動を直接的に人体３００の指先３０１に伝達することにより、体感を付与する音響振動体感付与方法と、
【００６６】
電気機械振動変換器１００の一部、つまり、間座１０６とヨーク１０２とに人体３００の指先３０１を押し当てる突起１２１・１２２を設けるようにした音響振動体感付与装置とを構成しているということである。
【００６７】
上記（４）による構成では、延長体１０１を直径１ｃｍ以下の長さ２０ｃｍ以上の固体の丸棒による竿状体とし、この竿状体の外面を丸棒の外面による凸曲面とした音響振動体感付与装置を構成しており、
【００６８】
上記（１０）による構成では、延長体１０１の指先３０１を当てる箇所における振幅を調整するための延長体１０１の長手方向に摺動固定可能に嵌挿された錘体１０１Ｘを設けた音響振動体感付与装置を構成しているということである。
【００６９】
上記（１３）による構成では、前記電気機械振動変換器に付設された延長体１０１には、直接的に前記人体の指先を押し当てる突起１０１Ｂを設けた音響振動体感付与装置を構成していることである。
【００７０】
【発明の効果】
請求項１〜８記載の発明によれば、上記のように、電気機械振動変換器に付設された竿状の延長体の凸曲面に指先を押し付けることで体感を付与しているので、敏感な体感を得られ、その結果、電気信号の電力が比較的小さくても、十分大きな体感を得ることができるという効果が奏される。
【００７１】
また、電気信号の電力を小さくし得ることにより、電気機械振動変換器や電気機械振動変換器が設けられた椅子や床などの物体から直接的に発生する振動音による不快感を大幅に軽減することができるという効果が奏される。
【００７２】
さらに、請求項６記載の発明によれば、接触検出回路により電気機械振動変換器に付設された竿状の延長体に対する人体の接触を検知して電気機械振動変換器の振動を断続制御しているので、不使用時に置場所からの不快な雑音発生を自動的に防止しできるという効果も奏される。
【図面の簡単な説明】
図面中、図１〜図７はこの発明の実施例を、また、図８〜図１０は従来技術を示し、各図の内容は次のとおりである。
【図１】総体構成斜視図
【図２】要部構成斜視図
【図３】要部構成縦断面図
【図４】要部ブロック構成図
【図５】要部ブロック構成・信号波形図
【図６】要部構成縦断面図
【図７】要部構成縦断面図
【図８】要部構成縦断面図
【図９】要部構成縦断面図
【図１０】要部構成正面図
【符号の説明】
５１  可動コイル
５２  永久磁石
５３  界磁体
５４  間隙
５５  振動体
５６  保持板
６１  界磁コイル
６２  界磁体
６３  振動体
６４  保持板
７１  界磁体側
７２  振動体側
７３  殻体
７４  殻体
７５  手のひら
７６  手のひら
１００  電気機械振動変換器
１０１  延長体
１０１Ａ  マーク
１０１Ｂ  突起
１０１Ｂ１  片側突起
１０１Ｂ２  瘤状の膨らみ部分
１０１Ｖ  停止具
１０１Ｘ  錘体
１０２  覆体
１０２Ａ  貫通孔
１０３  間隙
１０４  永久磁石
１０５  ヨーク
１０６  間座
１０７  ばね板
１１０  ケーブル
１１１  リード
１１２  リード
１２１  突起
１２２  突起
１３１  孔
１３２  孔
２００  ステレオオーディオセット
２０１  スピーカ
２０２  スピーカ
２０３  プレイヤー
２０４  リード
２０５  外部出力端子
２０５Ａ  外部出力端子
２１０  ヘッドホーン
３００  人体
３０１  指先
３０１Ａ  親指
３０２  第２節部分
３０２Ａ  人指指
３１０  手
４０１  バッファ用増幅回路
４０１ａ  聴覚用電気信号
４０１ｂ  分岐信号
４０２  切換回路
４０３  聴覚用出力端子
４０４  低域濾波回路
４０４ａ  体感用信号
４０４ｂ  可変コンデンサ
４０５  電力増幅回路
４０５ａ  信号出力
４０６  体感用出力端子
４１０  接触検出回路
４１１  端子
４１２  端子
４１３  矩形波発生回路
４１３ａ  矩形波信号
４１４  可変抵抗器
４１４ａ  入力
４１４ｂ  信号
４１５  波形整形回路
４１５ａ  基準波形信号
４１６  コンデンサ
４１６ａ  入力
４１７  波形整形回路
４１７ａ  出力
４１８  フリップフロップ回路
４１８ａ  Ｈレベル出力
４１４ｂ  Ｌレベル出力
Ａ１  所定レベル
Ａ２  所定レベル
ＣＬ  クロック端子
Ｄ  データ入力端子
Ｄ１  位相遅れ
Ｄ２  位相遅れ
Ｓ１  音響周波数信号
【図１】
0003561787.tif 000002
【図２】
0003561787.tif 000003
【図３】
0003561787.tif 000004
【図４】
0003561787.tif 000005
【図５】
0003561787.tif 000006
【図６】
0003561787.tif 000007
【図７】
0003561787.tif 000008
【図８】
0003561787.tif 000009
【図９】
0003561787.tif 000010
【図１０】
0003561787.tif 000011